(57)【要約】【課題】バラスト素子を用いて複数の放電管の並列点灯を行う放電管点灯回路において、放電管の不点灯を防止でき、かつ、トランスの出力電圧を大きな値とする必要がない放電管点灯回路を提供すること。【解決手段】放電管点灯回路１０においては、トランスＴ１００の二次巻線と、バラストコンデンサＣ１１と放電管Ｌ１１とトランスＴ１１の二次巻線との直列回路と、バラストコンデンサＣ１２と放電管Ｌ１２とトランスＴ１２の二次巻線との直列回路と、バラストコンデンサＣ１３と放電管Ｌ１３とトランスＴ１３の二次巻線との直列回路と、バラストコンデンサＣ１４と放電管Ｌ１４とトランスＴ１４の二次巻線との直列回路とは、並列に接続され、放電管Ｌ１１、Ｌ１２、Ｌ１３、Ｌ１４は差動ドライブされる。【選択図】図１
2008021547.tif 000002
【特許請求の範囲】
【請求項１】
複数の放電管の点灯を行う放電管点灯回路を有する液晶表示装置であって、
前記放電管点灯回路は、
複数の前記放電管に対応する複数の第１のトランスと、
複数の前記放電管に対応する複数のバラストコンデンサと、
第２のトランスとを有し、
複数の前記放電管各々は、一端が対応する前記第１のトランスの二次巻線に接続され、他端が対応する前記バラストコンデンサを介して前記第２のトランスの二次巻線に接続され、
複数の前記第１のトランス各々の二次巻線が供給する電圧と、前記第２のトランスの二次巻線が供給する電圧とは、逆極性であることを特徴とする液晶表示装置。
【請求項２】
複数の放電管の点灯を行う放電管点灯回路であって、
複数の前記放電管に対応する複数の第１のトランスと、
複数の前記放電管に対応する複数のバラスト素子と、
第２のトランスとを有し、
複数の前記放電管各々は、一端が対応する前記第１のトランスの二次巻線に接続され、他端が対応する前記バラスト素子を介して前記第２のトランスの二次巻線に接続されていることを特徴とする放電管点灯回路。
【請求項３】
複数の前記第１のトランス各々の二次巻線が供給する電圧と、前記第２のトランスの二次巻線が供給する電圧とは、逆極性であることを特徴とする請求項２に記載の放電管点灯回路。
【請求項４】
複数の前記バラスト素子各々は、コンデンサ、コイル、リアクトルのいずれかであることを特徴とする請求項２又は３に記載の放電管点灯回路。
【請求項５】
複数の放電管の点灯を行う放電管点灯回路を有する液晶表示装置であって、
前記放電管点灯回路は、請求項２から４いずれか１項に記載のものであることを特徴とする液晶表示装置。
【発明の詳細な説明】
【技術分野】
【０００１】
本発明は、放電管点灯回路及び液晶表示装置に関する。
【背景技術】
【０００２】
以前より、冷陰極管などの放電管は、液晶表示装置のバックライトなどに用いられてきた。そして、近年においては、液晶表示装置の大画面化により、１のバックライトに数１０本の放電管が用いられることが多くなっている。この場合、放電管ごとに別々の放電管点灯回路を用いて点灯を行うと、トランスなどの放電管点灯回路を構成する素子の数が放電管の本数に比例して増加するため、コストアップが問題となる。
【０００３】
そのため、複数の放電管の並列点灯が可能な放電管点灯回路が用いられるようになってきた。図４は、従来の、複数の放電管の並列点灯が可能な放電管点灯回路９０を示す回路図である。放電管点灯回路９０は、放電管Ｌ９１、Ｌ９２、Ｌ９３、Ｌ９４と、バラストコンデンサＣ９１、Ｃ９２、Ｃ９３、Ｃ９４と、トランスＴ９００と、交流電源Ｖ９００とを有する。
【０００４】
放電管Ｌ９１は、一端が接地点に接続され、他端がバラストコンデンサＣ９１を介してトランスＴ９００の二次巻線の第１の端部に接続されている。放電管Ｌ９２は、一端が接地点に接続され、他端がバラストコンデンサＣ９２を介してトランスＴ９００の二次巻線の第１の端部に接続されている。放電管Ｌ９３は、一端が接地点に接続され、他端がバラストコンデンサＣ９３を介してトランスＴ９００の二次巻線の第１の端部に接続されている。放電管Ｌ９４は、一端が接地点に接続され、他端がバラストコンデンサＣ９４を介してトランスＴ９００の二次巻線の第１の端部に接続されている。
【０００５】
そして、トランスＴ９００の二次巻線の第２の端部は接地点に接続されている。また、交流電源Ｖ９００の両端には、トランスＴ９００の一次巻線が接続されている。
【０００６】
ここで、放電管Ｌ９１、Ｌ９２、Ｌ９３、Ｌ９４は、負性抵抗特性を有するため、起動電圧が点灯電圧より高くなる。そのため、バラストコンデンサＣ９１、Ｃ９２、Ｃ９３、Ｃ９４を挿入することによって、トランスＴ９００の二次巻線の電圧を起動電圧よりも高くして放電管Ｌ９１、Ｌ９２、Ｌ９３、Ｌ９４を点灯させる。そして、放電管Ｌ９１、Ｌ９２、Ｌ９３、Ｌ９４が点灯すると、バラストコンデンサＣ９１、Ｃ９２、Ｃ９３、Ｃ９４のインピーダンスにより点灯電圧まで電圧が下がり安定する。
【０００７】
図４に記載の放電管点灯回路９０を用いると、複数の放電管の並列点灯が可能となるので、放電管ごとに別々の放電管点灯回路を用いて点灯を行う場合と比較してコストダウンできる。
【０００８】
また、特許文献１〜特許文献４に、従来の放電管点灯回路に関する発明の例を見ることができる。
【０００９】
特許文献１に記載の発明は、一次巻線が直列に接続され、各二次巻線が個別の放電管の第１の端子に接続される複数の第１のトランスと、二次巻線が第１のトランスとは逆極性の電圧を供給するように放電管の第２の端子に接続される１又は複数の第２のトランスとを有し、第１のトランス及び第２のトランスの一次巻線が電気的に交流電源に接続される放電管点灯装置に関するものである。これによると、第１のトランスと第２のトランスとにより複数の放電管を差動で駆動するため、全ての放電管について均一な明るさを実現し、ノイズを減少させることができる。
【００１０】
特許文献２に記載の発明は、直流電圧を高周波電圧に変換するインバータと、このインバータの高周波電圧により点灯する複数の放電灯と、この複数の放電灯に対応して設けられた複数のトランスとを備え、各放電灯に直列にトランスの２次巻線が接続され、放電灯とトランスの２次巻線との直列回路の各々がインバータの出力両端に並列に接続され、複数のトランスの１次巻線が直列に接続された放電灯点灯回路に関するものである。これによると、トランスの出力電圧を大きくすることなく良好な点灯特性を得ることができ、また、放電灯の電流のばらつきを無くすことができる。
【００１１】
特許文献３に記載の発明は、コ字型冷陰極管を複数並べて配置する場合に、隣接するコ字型冷陰極管の隣接する端部に同位相の電圧を印加する冷陰極管駆動回路に関するものである。これによると、コ字型冷陰極管の互いに隣接する水平部の間では電位差が生じないので、浮遊容量を介したリーク電流を抑制でき、コ字型冷陰極管の点灯がちらつくことを防止できる。
【００１２】
特許文献４に記載の発明は、Ｕ字型やコの字型等のように管端末部が管中央部と反対方向となる形状の蛍光管と、昇圧トランスの二次巻線が２つの巻線部に分割され、中点がグランドに接続されると共に、両端にバラストコンデンサを設けたバックライトインバータとを有する液晶テレビ用バックライトに関するものである。これによると、バックライトインバータの放射ノイズが小さく、高効率で、輝度分布がより均一な大画面に適した液晶テレビ用バックライトとなる。
【特許文献１】特開２００６−０４９２１４号公報
【特許文献２】特開２００６−０１２６５９号公報
【特許文献３】特開２００６−１３４６６３号公報
【特許文献４】特開平８−１２２７７６号公報
【発明の開示】
【発明が解決しようとする課題】
【００１３】
しかしながら、図４に記載の放電管点灯回路９０においては、上述した負性抵抗特性の影響により、各放電管が点灯するごとに負荷のインピーダンスが低下し、トランスＴ９００の出力電圧も各放電管が点灯するごとに低下する。そのため、放電管Ｌ９１、Ｌ９２、Ｌ９３、Ｌ９４のいずれかの不点灯を防止するためには、トランスＴ９００の出力電圧を非常に大きな値とする必要があるという問題点がある。
【００１４】
ここで、特許文献１に記載の放電管点灯装置は、バラスト素子を用いたものではなく、図４に記載の放電管点灯回路９０の上記問題点を解決するものではない。また、特許文献２に記載の放電灯点灯回路は、図４に記載の放電管点灯回路９０の上記問題点を改善するものではあるが、並列接続された複数の放電管のいずれかの不点灯を防止するためには、トランスの出力電圧をかなり大きな値とする必要がある。
【００１５】
特許文献３に記載の冷陰極管駆動回路と、特許文献４に記載の液晶テレビ用バックライトとは、複数の放電管の並列点灯に用いられるものではなく、図４に記載の放電管点灯回路９０の上記問題点を解決するものではない。
【００１６】
以上の問題点を鑑みて、本発明においては、バラスト素子を用いて複数の放電管の並列点灯を行う放電管点灯回路において、放電管の不点灯を防止でき、かつ、トランスの出力電圧を大きな値とする必要がない放電管点灯回路を提供することを目的とする。また、本発明においては、上記放電管点灯回路を有する液晶表示装置を提供することを他の目的とする。
【課題を解決するための手段】
【００１７】
本発明においては、液晶表示装置は、複数の放電管の点灯を行う放電管点灯回路を有する液晶表示装置であって、前記放電管点灯回路は、複数の前記放電管に対応する複数の第１のトランスと、複数の前記放電管に対応する複数のバラストコンデンサと、第２のトランスとを有し、複数の前記放電管各々は、一端が対応する前記第１のトランスの二次巻線に接続され、他端が対応する前記バラストコンデンサを介して前記第２のトランスの二次巻線に接続され、複数の前記第１のトランス各々の二次巻線が供給する電圧と、前記第２のトランスの二次巻線が供給する電圧とは、逆極性であることを特徴とする。
【００１８】
これによると、負性抵抗特性の影響による放電管の不点灯を効率的に防止でき、第２のトランスの出力電圧を大きな値とする必要がなく、かつ、漏れ電流の影響による放電管の左右の輝度差を抑えることができる、バラスト素子を用いて複数の放電管の並列点灯を行う放電管点灯回路を有する液晶表示装置が提供される。
【００１９】
本発明においては、放電管点灯回路は、複数の放電管の点灯を行う放電管点灯回路であって、複数の前記放電管に対応する複数の第１のトランスと、複数の前記放電管に対応する複数のバラスト素子と、第２のトランスとを有し、複数の前記放電管各々は、一端が対応する前記第１のトランスの二次巻線に接続され、他端が対応する前記バラスト素子を介して前記第２のトランスの二次巻線に接続されていることを特徴とする。
【００２０】
これによると、複数の放電管各々は、一端が対応する第１のトランスの二次巻線に接続され、他端が対応するバラスト素子を介して第２のトランスの二次巻線に接続されている。つまり、複数の放電管各々に対する給電を第２のトランス側からのみならず、第１のトランス側からも行うこととなる。そのため、例えば、複数の放電管のうちの１の放電管だけ点灯が遅れた場合にも、第１のトランス側からの給電によって、点灯が遅れた放電管に高電圧を印加することができる。したがって、負性抵抗特性の影響による放電管の不点灯を防止でき、かつ、第２のトランスの出力電圧を大きな値とする必要がない。
【００２１】
本発明においては、上記構成の放電管点灯回路において、複数の前記第１のトランス各々の二次巻線が供給する電圧と、前記第２のトランスの二次巻線が供給する電圧とは、逆極性であることが望ましい。
【００２２】
これによると、複数の第１のトランス各々の二次巻線が供給する電圧と、第２のトランスの二次巻線が供給する電圧とは、逆極性であるので、複数の放電管各々は差動ドライブされる。そのため、例えば、複数の放電管のうちの１の放電管だけ点灯が遅れた場合にも、第１のトランス側からの給電によって、点灯が遅れた放電管が差動ドライブされ、点灯が遅れた放電管に効率的に高電圧を印加することができる。したがって、負性抵抗特性の影響による放電管の不点灯を効率的に防止でき、かつ、第２のトランスの出力電圧を大きな値とする必要がない。また、複数の放電管各々は差動ドライブされることから、漏れ電流の影響による放電管の左右の輝度差を抑えることができる。
【００２３】
本発明においては、上記構成の放電管点灯回路において、複数の前記バラスト素子各々は、コンデンサ、コイル、リアクトルのいずれかであることが望ましい。
【００２４】
これによると、放電管の負性抵抗特性の影響を緩和するために挿入されるバラスト素子が具現化される。
【００２５】
本発明においては、液晶表示装置は、複数の放電管の点灯を行う放電管点灯回路を有する液晶表示装置であって、前記放電管点灯回路は、上記構成のものであることを特徴とする。
【００２６】
これによると、負性抵抗特性の影響による放電管の不点灯を防止でき、かつ、第２のトランスの出力電圧を大きな値とする必要がない、バラスト素子を用いて複数の放電管の並列点灯を行う放電管点灯回路を有する液晶表示装置が提供される。
【発明の効果】
【００２７】
本発明によると、バラスト素子を用いて複数の放電管の並列点灯を行う放電管点灯回路において、放電管の不点灯を防止でき、かつ、トランスの出力電圧を大きな値とする必要がない放電管点灯回路が提供される。また、本発明によると、上記放電管点灯回路を有する液晶表示装置が提供される。
【発明を実施するための最良の形態】
【００２８】
本発明の実施形態について、図面を用いて説明すれば以下の通りである。
【００２９】
（第１の実施形態）
図１は、本発明の第１の実施形態に係る放電管点灯回路１０を示す回路図である。放電管点灯回路１０は、放電管Ｌ１１、Ｌ１２、Ｌ１３、Ｌ１４と、トランスＴ１１、Ｔ１２、Ｔ１３、Ｔ１４（第１のトランス）と、バラストコンデンサＣ１１、Ｃ１２、Ｃ１３、Ｃ１４（バラスト素子）と、トランスＴ１００（第２のトランス）と、交流電源Ｖ１１、Ｖ１２、Ｖ１３、Ｖ１４、Ｖ１００とを有する。
【００３０】
なお、本明細書においては、全ての交流電源は、スイッチング型インバータ回路を含むものとする。ここで、スイッチング回路の例としては、フルブリッジ、ハーフブリッジなどが挙げられる。
【００３１】
放電管Ｌ１１は、一端がトランスＴ１１の二次巻線の第１の端部に接続され、他端がバラストコンデンサＣ１１を介してトランスＴ１００の二次巻線の第１の端部に接続されている。放電管Ｌ１２は、一端がトランスＴ１２の二次巻線の第１の端部に接続され、他端がバラストコンデンサＣ１２を介してトランスＴ１００の二次巻線の第１の端部に接続されている。放電管Ｌ１３は、一端がトランスＴ１３の二次巻線の第１の端部に接続され、他端がバラストコンデンサＣ１３を介してトランスＴ１００の二次巻線の第１の端部に接続されている。放電管Ｌ１４は、一端がトランスＴ１４の二次巻線の第１の端部に接続され、他端がバラストコンデンサＣ１４を介してトランスＴ１００の二次巻線の第１の端部に接続されている。
【００３２】
そして、トランスＴ１１の二次巻線の第２の端部と、トランスＴ１２の二次巻線の第２の端部と、トランスＴ１３の二次巻線の第２の端部と、トランスＴ１４の二次巻線の第２の端部と、トランスＴ１００の二次巻線の第２の端部とは、接地点に接続されている。
【００３３】
つまり、放電管点灯回路１０においては、トランスＴ１００の二次巻線と、バラストコンデンサＣ１１と放電管Ｌ１１とトランスＴ１１の二次巻線との直列回路と、バラストコンデンサＣ１２と放電管Ｌ１２とトランスＴ１２の二次巻線との直列回路と、バラストコンデンサＣ１３と放電管Ｌ１３とトランスＴ１３の二次巻線との直列回路と、バラストコンデンサＣ１４と放電管Ｌ１４とトランスＴ１４の二次巻線との直列回路とは、並列に接続されている。
【００３４】
また、交流電源Ｖ１１の両端には、トランスＴ１１の一次巻線が接続され、交流電源Ｖ１２の両端には、トランスＴ１２の一次巻線が接続され、交流電源Ｖ１３の両端には、トランスＴ１３の一次巻線が接続され、交流電源Ｖ１４の両端には、トランスＴ１４の一次巻線が接続され、交流電源Ｖ１００の両端には、トランスＴ１００の一次巻線が接続されている。
【００３５】
放電管点灯回路１０においては、放電管Ｌ１１、Ｌ１２、Ｌ１３、Ｌ１４に対する給電をトランスＴ１００側からのみならず、トランスＴ１１、Ｔ１２、Ｔ１３、Ｔ１４側からも行うこととなる。そのため、例えば、放電管Ｌ１１だけ点灯が遅れた場合にも、トランスＴ１１側からの給電によって、放電管Ｌ１１に高電圧を印加できる。したがって、負性抵抗特性の影響による放電管の不点灯を防止でき、かつ、トランスＴ１００の出力電圧を大きな値とする必要がない。
【００３６】
図２は、トランスＴ１１、Ｔ１２、Ｔ１３、Ｔ１４、Ｔ１００の二次巻線が供給する電圧の時間変化を示すグラフである。交流電源Ｖ１１、Ｖ１２、Ｖ１３、Ｖ１４、Ｖ１００及びトランスＴ１１、Ｔ１２、Ｔ１３、Ｔ１４、Ｔ１００の調整によって、トランスＴ１１、Ｔ１２、Ｔ１３、Ｔ１４の二次巻線が供給する電圧と、トランスＴ１００の二次巻線が供給する電圧とは逆極性とされる。
【００３７】
図２のグラフに示すようにトランスＴ１１、Ｔ１２、Ｔ１３、Ｔ１４、Ｔ１００の二次巻線が供給する電圧が調整されたとき、放電管Ｌ１１、Ｌ１２、Ｌ１３、Ｌ１４は、差動ドライブされる。そのため、例えば、放電管Ｌ１１だけ点灯が遅れた場合にも、トランスＴ１１側からの給電によって、放電管Ｌ１１が差動ドライブされ、放電管Ｌ１１に効率的に高電圧を印加することができる。したがって、負性抵抗特性の影響による放電管の不点灯を効率的に防止でき、かつ、トランスＴ１００の出力電圧を大きな値とする必要がない。また、放電管Ｌ１１、Ｌ１２、Ｌ１３、Ｌ１４は、差動ドライブされることから、漏れ電流の影響による放電管の左右の輝度差を抑えることができる。
【００３８】
なお、図２のグラフに示すようにトランスＴ１１、Ｔ１２、Ｔ１３、Ｔ１４、Ｔ１００の二次巻線が供給する電圧を調整するためには、交流電源Ｖ１１、Ｖ１２、Ｖ１３、Ｖ１４、Ｖ１００の同期が必要であるが、図１においては同期信号線は省略した。
【００３９】
（第２の実施形態）
図３は、本発明の第２の実施形態に係る放電管点灯回路２０を示す回路図である。放電管点灯回路２０は、放電管Ｌ２１、Ｌ２２、Ｌ２３、Ｌ２４と、トランスＴ２１、Ｔ２２、Ｔ２３、Ｔ２４（第１のトランス）と、バラストコンデンサＣ２１、Ｃ２２、Ｃ２３、Ｃ２４（バラスト素子）と、トランスＴ２００（第２のトランス）と、交流電源Ｖ２００とを有する。
【００４０】
放電管Ｌ２１は、一端がトランスＴ２１の二次巻線の第１の端部に接続され、他端がバラストコンデンサＣ２１を介してトランスＴ２００の二次巻線の第１の端部に接続されている。放電管Ｌ２２は、一端がトランスＴ２２の二次巻線の第１の端部に接続され、他端がバラストコンデンサＣ２２を介してトランスＴ２００の二次巻線の第１の端部に接続されている。放電管Ｌ２３は、一端がトランスＴ２３の二次巻線の第１の端部に接続され、他端がバラストコンデンサＣ２３を介してトランスＴ２００の二次巻線の第１の端部に接続されている。放電管Ｌ２４は、一端がトランスＴ２４の二次巻線の第１の端部に接続され、他端がバラストコンデンサＣ２４を介してトランスＴ２００の二次巻線の第１の端部に接続されている。
【００４１】
そして、トランスＴ２１の二次巻線の第２の端部と、トランスＴ２２の二次巻線の第２の端部と、トランスＴ２３の二次巻線の第２の端部と、トランスＴ２４の二次巻線の第２の端部と、トランスＴ２００の二次巻線の第２の端部とは、接地点に接続されている。
【００４２】
つまり、放電管点灯回路２０においては、トランスＴ２００の二次巻線と、バラストコンデンサＣ２１と放電管Ｌ２１とトランスＴ２１の二次巻線との直列回路と、バラストコンデンサＣ２２と放電管Ｌ２２とトランスＴ２２の二次巻線との直列回路と、バラストコンデンサＣ２３と放電管Ｌ２３とトランスＴ２３の二次巻線との直列回路と、バラストコンデンサＣ２４と放電管Ｌ２４とトランスＴ２４の二次巻線との直列回路とは、並列に接続されている。
【００４３】
また、交流電源Ｖ２００と、トランスＴ２１の一次巻線と、トランスＴ２２の一次巻線と、トランスＴ２３の一次巻線と、トランスＴ２４の一次巻線と、トランスＴ２００の一次巻線とは並列に接続されている。
【００４４】
なお、放電管Ｌ２１、Ｌ２２、Ｌ２３、Ｌ２４を差動ドライブするために、トランスＴ２１の一次巻線と、トランスＴ２２の一次巻線と、トランスＴ２３の一次巻線と、トランスＴ２４の一次巻線とが交流電源Ｖ２００に接続される向きと、トランスＴ２００の一次巻線が交流電源Ｖ２００に接続される向きとは反対とする。
【００４５】
放電管点灯回路２０は、１の交流電源Ｖ２００を有するのみであり、５の交流電源Ｖ１１、Ｖ１２、Ｖ１３、Ｖ１４、Ｖ１００を有する図１に記載の放電管点灯回路１０と比較して、装置の小型化ができる。また、その他の作用・効果は、図１に記載の放電管点灯回路１０と同様である。
【００４６】
なお、図１に記載の放電管点灯回路１０及び図３に記載の放電管点灯回路２０は、液晶表示装置のバックライトとして好適に利用され得るものである。
【００４７】
なお、本発明は上記の実施形態に限定されず、本発明の趣旨を逸脱しない範囲で種々の変更が可能である。例えば、上記実施形態においては、バラスト素子としてバラストコンデンサを用いたが、コイルやリアクトルを用いてもよい。
【産業上の利用可能性】
【００４８】
本発明は、放電管点灯回路及び液晶表示装置として有効である。
【図面の簡単な説明】
【００４９】
【図１】本発明の第１の実施形態に係る放電管点灯回路１０を示す回路図。
【図２】トランスＴ１１、Ｔ１２、Ｔ１３、Ｔ１４、Ｔ１００の二次巻線が供給する電圧の時間変化を示すグラフ。
【図３】本発明の第２の実施形態に係る放電管点灯回路２０を示す回路図。
【図４】従来の、複数の放電管の並列点灯が可能な放電管点灯回路９０を示す回路図。
【符号の説明】
【００５０】
１０、２０    放電管点灯回路
Ｌ１１、Ｌ１２、Ｌ１３、Ｌ１４、Ｌ２１、Ｌ２２、Ｌ２３、Ｌ２４    放電管
Ｔ１１、Ｔ１２、Ｔ１３、Ｔ１４、Ｔ２１、Ｔ２２、Ｔ２３、Ｔ２４    トランス（第１のトランス）
Ｃ１１、Ｃ１２、Ｃ１３、Ｃ１４、Ｃ２１、Ｃ２２、Ｃ２３、Ｃ２４    バラストコンデンサ（バラスト素子）
Ｔ１００、Ｔ２００    トランス（第２のトランス）
【図１】
2008021547.tif 000003
【図２】
2008021547.tif 000004
【図３】
2008021547.tif 000005
【図４】
2008021547.tif 000006